(57)【要約】【課題】袋胴部の袋前面に注出路部を分岐させている包装袋において、注出口部の引き起こしと注出口部の切断による注出口の形成とが連続した作業で行えるようにし、開封して最初に収容物を注ぎ出すための作業を簡単な作業にする。【解決手段】注出路部９の注出口部１０に開封予定線１９を設け、注出路部９の張り出し方向の前方に注出路部９を袋胴部５から袋上下方向上方側に向けて起こす引き起こし片１７を設け、この引き起こし片１７は指先差し入れ孔部１８を設け、引き起こし片１７の外周縁２０を開封予定線１９に連続させた。【選択図】図１
2018135120.tif 000002
【特許請求の範囲】
【請求項１】
それぞれ基材とシーラント層とを少なくとも有するフィルムからなる袋前面と袋後面と袋底面とを備え、相対して袋胴部を形成する前記袋前面と袋後面との間に、袋底面が折り入れられ、袋辺部のフィルムが重ね合わされている部分がヒートシールされて、前記袋底面が袋前後方向に展開することによって自立可能となる袋であって、
袋前面の袋上部側に、袋胴部から分岐して袋下部に向けて張り出て先端を閉じられた注出口部とする注出路部が設けられていて、
前記注出路部は、袋上部側のフィルムを前記分岐の高さ位置から袋下方に延長した分岐前面フィルムと、袋下部側のフィルムを前記分岐の高さ位置から折り返されて延長された分岐後面フィルムとが重ね合わされてなり、この注出路部の辺部における分岐前面フィルムと分岐後面フィルムとがヒートシールされている包装袋において、
前記注出路部における注出口部にこの注出口部を横断する開封予定線が設けられているとともに、前記注出路部の張り出し方向の前方に、袋上下方向上方への引っ張りによって注出路部を袋胴部から袋上下方向上方側に向けて起こす引き起こし片が設けられており、
前記引き起こし片は指先差し入れ孔部を有し、該引き起こし片の外周縁が、注出口部の開封予定線の位置に連続していることを特徴とする包装袋。
【請求項２】
それぞれ基材とシーラント層とを少なくとも有するフィルムからなる袋前面と袋後面と袋底面とを備え、相対して袋胴部を形成する前記袋前面と袋後面との間に、袋底面が折り入れられ、袋辺部のフィルムが重ね合わされている部分がヒートシールされて、前記袋底面が袋前後方向に展開することによって自立可能となる袋であって、
袋前面の袋上部側に、袋胴部から分岐して袋下部に向けて張り出て先端を閉じられた注出口部とする注出路部が設けられていて、
前記注出路部は、袋上部側のフィルムを前記分岐の高さ位置から袋下方に延長した分岐前面フィルムと、袋下部側のフィルムを前記分岐の高さ位置から折り返されて延長された分岐後面フィルムとが重ね合わされてなり、この注出路部の辺部における分岐前面フィルムと分岐後面フィルムとがヒートシールされている包装袋において、
前記注出路部における注出口部にこの注出口部を横断する開封予定線が設けられているとともに、前記注出路部の前記辺部に、分断線を介して分離可能に連接されていて、袋上下方向上方への引っ張りによって注出路部を袋胴部から袋上下方向上方側に向けて起こす引き起こし片が設けられており、
前記引き起こし片は、注出口部の側方位置にして指先差し入れ孔部を有し、該引き起こし片と注出路部との間の前記分断線が、注出口部の開封予定線の位置に連続していることを特徴とする包装袋。
【請求項３】
上記指先差し入れ孔部は、引き起こし片の分岐前面フィルムと分岐後面フィルムとを貫通する透孔、または引き起こし片の分岐前面フィルムと分岐後面フィルムとに切り込み形成したフラップで開放可能に閉じた透孔形成部分とされている請求項１または２に記載の包装袋。
【請求項４】
引き起こし片で袋上下方向上方に引っ張られたときの上記注出路部の分岐前面フィルムと分岐後面フィルムとの間を広げて収容物通路を形成する注出路部通路形成手段が設けられており、
この注出路部通路形成手段は、上記分岐の高さ位置での上記袋下部側のフィルムの折り返し部分の端部それぞれにおいて、折り返し部分の谷折り線を跨ぐフィルム除去部を設け、上記袋上部側のフィルムから延長した上記分岐前面フィルムを前記フィルム除去部を間にして上記袋後面のフィルムにヒートシールして形成されているものである請求項１から３の何れか一項に記載の包装袋。
【請求項５】
上記開封予定線は、分岐前面フィルムと分岐後面フィルムとのそれぞれにハーフカット処理を施してなるものである請求項１から４の何れか一項に記載の包装袋。
【請求項６】
上記開封予定線の端部に、切り込みが施されている請求項１から５の何れか一項に記載の包装袋。
【発明の詳細な説明】
【技術分野】
【０００１】
本発明は液体調味料、液体化粧料、液体洗剤などの詰め替え用の液体を収容する用途に用いられ、詰め替えに際しての作業性を向上させる包装袋に関するものである。
【背景技術】
【０００２】
従来から詰め替え用の液体を収容する包装袋においては、柔軟なフィルムからなる袋があり、袋上部の一隅を注出路部とするとともに、その先端部分を注出口部とし、切断にて注出口を開いた注出口部を相手容器の差し込むなどして収容されている液体を移し替えることができるようにしたパウチタイプや、スタンディングパウチタイプの袋が多く流通している。
【０００３】
また昨今においては、スタンディングタイプの包装袋であって、袋胴部の袋前面にこの袋胴部と分岐した状態で注出路部を備える構造の包装袋が提案されている。そして、注出路部なとどする分岐部分を袋胴部と同一のフィルムで形成する方法としては、袋前面のフィルムを袋上部側の位置で前方に折り出すようにして分岐部分を形成したり、特許文献１や特許文献２に示されているように、袋上部からのフィルムと袋下部からのフィルムとのそれぞれを延長して、袋上部からのフィルムの延長部分と袋下部からのフィルムを分岐の位置で折り返しながら延長した延長部分とを重ね合わせて、前記分岐部分としての注出路部を形成する方法があった。
【先行技術文献】
【特許文献】
【０００４】
【特許文献１】特許第４６１７８６６号公報
【特許文献２】特開２００５−０８８８９４号公報
【発明の概要】
【発明が解決しようとする課題】
【０００５】
上述した袋胴部から注出路部を分岐している包装袋では、袋胴部自体の収容容積を損なわずに注出路部を流れる部分の長さを確保し易いことから、収容物を注ぎ出しているときの流れを安定させることができる。
【０００６】
一方でこの包装袋では、最初に収容物を注出するときには、注出路部の先端の注出口部を切断して注出口を開いてから注出路部を上方に引き起こしたり、或いは注出路部を上方に引っ張って起こしながら、注出口部を切断する作業が必要になる。このように未開封の場合、この包装袋から収容物を最初に注ぎ出すまでに二工程の作業が必要であって、収容物を注ぎ出すまでの作業が煩雑であるという問題があった。
【０００７】
そこで本発明は上記事情に鑑み、袋胴部の袋前面に注出路部を分岐させている包装袋において、注出口部の引き起こしと、注出口部の切断による注出口の形成、即ち開封とが連続した作業で行えるようにすることを課題とし、この包装袋において、開封して最初に収容物を注ぎ出すための作業を簡単な作業にすることを目的とするものである。
【課題を解決するための手段】
【０００８】
（請求項１の発明）
本発明は上記課題を考慮してなされたもので、それぞれ基材とシーラント層とを少なくとも有するフィルムからなる袋前面と袋後面と袋底面とを備え、相対して袋胴部を形成する前記袋前面と袋後面との間に、袋底面が折り入れられ、袋辺部のフィルムが重ね合わされている部分がヒートシールされて、前記袋底面が袋前後方向に展開することによって自立可能となる袋であって、
袋前面の袋上部側に、袋胴部から分岐して袋下部に向けて張り出て先端を閉じられた注出口部とする注出路部が設けられていて、
前記注出路部は、袋上部側のフィルムを前記分岐の高さ位置から袋下方に延長した分岐前面フィルムと、袋下部側のフィルムを前記分岐の高さ位置から折り返されて延長された分岐後面フィルムとが重ね合わされてなり、この注出路部の辺部における分岐前面フィルムと分岐後面フィルムとがヒートシールされている包装袋において、
前記注出路部における注出口部にこの注出口部を横断する開封予定線が設けられているとともに、前記注出路部の張り出し方向の前方に、袋上下方向上方への引っ張りによって注出路部を袋胴部から袋上下方向上方側に向けて起こす引き起こし片が設けられており、
前記引き起こし片は指先差し入れ孔部を有し、該引き起こし片の外周縁が、注出口部の開封予定線の位置に連続していることを特徴とする包装袋を提供して、上記課題を解消するものである。
【０００９】
（請求項２の発明）
またもう一つの発明は、それぞれ基材とシーラント層とを少なくとも有するフィルムからなる袋前面と袋後面と袋底面とを備え、相対して袋胴部を形成する前記袋前面と袋後面との間に、袋底面が折り入れられ、袋辺部のフィルムが重ね合わされている部分がヒートシールされて、前記袋底面が袋前後方向に展開することによって自立可能となる袋であって、
袋前面の袋上部側に、袋胴部から分岐して袋下部に向けて張り出て先端を閉じられた注出口部とする注出路部が設けられていて、
前記注出路部は、袋上部側のフィルムを前記分岐の高さ位置から袋下方に延長した分岐前面フィルムと、袋下部側のフィルムを前記分岐の高さ位置から折り返されて延長された分岐後面フィルムとが重ね合わされてなり、この注出路部の辺部における分岐前面フィルムと分岐後面フィルムとがヒートシールされている包装袋において、
前記注出路部における注出口部にこの注出口部を横断する開封予定線が設けられているとともに、前記注出路部の前記辺部に、分断線を介して分離可能に連接されていて、袋上下方向上方への引っ張りによって注出路部を袋胴部から袋上下方向上方側に向けて起こす引き起こし片が設けられており、
前記引き起こし片は、注出口部の側方位置にして指先差し入れ孔部を有し、該引き起こし片と注出路部との間の前記分断線が、注出口部の開封予定線の位置に連続していることを特徴とする包装袋であり、この包装袋を提供して上記課題を解消するものである。
【００１０】
（請求項３の発明）
そして上記発明において、上記指先差し入れ孔部は、引き起こし片の分岐前面フィルムと分岐後面フィルムとを貫通する透孔、または引き起こし片の分岐前面フィルムと分岐後面フィルムとに切り込み形成したフラップで開放可能に閉じた透孔形成部分とされていることが可能である。
【００１１】
（請求項４の発明）
また上記発明において、引き起こし片で袋上下方向上方に引っ張られたときの上記注出路部の分岐前面フィルムと分岐後面フィルムとの間を広げて収容物通路を形成する注出路部通路形成手段が設けられており、
この注出路部通路形成手段は、上記分岐の高さ位置での上記袋下部側のフィルムの折り返し部分の端部それぞれにおいて、折り返し部分の谷折り線を跨ぐフィルム除去部を設け、上記袋上部側のフィルムから延長した上記分岐前面フィルムを前記フィルム除去部を間にして上記袋後面のフィルムにヒートシールして形成されているものであることが可能である。
【００１２】
（請求項５の発明）
また上記発明において、上記開封予定線は、分岐前面フィルムと分岐後面フィルムとのそれぞれにハーフカット処理を施してなるものであることが可能である。
【００１３】
（請求項６の発明）
また上記発明において、上記開封予定線の端部に、切り込みが施されていることが可能である。
【発明の効果】
【００１４】
（請求項１の発明の効果）
請求項１の発明によれば、袋胴部から分岐している注出路部の張り出し方向の前方に、指先差し入れ孔部を有する引き起こし片が設けられているので、引き起こし片に指先を掛けて上方に引っ張ることで、注出路部が袋高さ方向上方に向けて起きるようになる。
【００１５】
さらに引き起こし片の外周縁が注出口部の開封予定線の位置に連続しているので、この引き起こし片で注出路部を起こしている状態から続けて注出口部を切断する動作に連続して移ることができ、開封までの作業が一工程となってスムーズなものとなるという効果を奏する。
【００１６】
また容器への収容物の詰め替えを行なうにあたって、注出路部を袋上下方向上方に向けて引っ張ることで注出路部が起き上がり、注出口部を切断することで収容量に影響を及ぼすことなしに立体的で開口面積の大きい注出口を得ることができるようになる。
【００１７】
また注出口部を上方に向けた状態での切断となるので、注出口から収容物が漏れたり飛び散ることを防止できる。
【００１８】
そして注出路部自体をロート状に先細りする形にすることも可能であり、容器の口部に差し込み易く、収容物を最後まで安定した状態で注出できて迅速に収容物の注ぎ出しを行なうことができる注出路部を備えるものとすることができる。また、構造が簡単であることから、袋製造に際して複雑な加工を必要とせず、低コストにて製造することができるという効果を奏する。
【００１９】
（請求項２の発明の効果）
請求項２の発明によれば、袋胴部から分岐している注出路部の辺部に分断可能に配されている引き起こし片は、上記発明と同様に指先差し入れ孔部を有しているので、この引き起こし片に指先を掛けて上方に引っ張ることで、注出路部が袋高さ方向上方に向けて起きるようになる。
【００２０】
そして注出路部の辺部と引き起こし片との間の分断線が注出口部の開封予定線の位置に連続しているので、この引き起こし片で注出路部を起こしている状態から続けて注出口部を切断する動作に連続して移ることができ、開封までの作業が一工程となってスムーズなものとなるという効果を奏する。
【００２１】
また上記請求項１の発明と同様に、容器への収容物の詰め替えを行なうにあたって、注出路部を袋上下方向上方に向けて引っ張ることで注出路部が起き上がり、注出口部を切断することで収容量に影響を及ぼすことなしに立体的で開口面積の大きい注出口を得ることができるようになる。
【００２２】
そして注出路部自体をロート状に先細りする形にすることも可能であり、容器の口部に差し込み易く、収容物を最後まで安定した状態で注出できて迅速に収容物の注ぎ出しを行なうことができる注出路部を備えるものとすることができる。また、構造が簡単であることから、袋製造に際して複雑な加工を必要とせず、低コストにて製造することができるという効果を奏する。
【００２３】
（請求項３の発明の効果）
請求項３の発明によれば、指先差し入れ孔部に指先をより確実に掛けることができ、よって注出路部を袋上下方向上方に向けて一層容易に起こすことができるようになる。
【００２４】
（請求項４の発明の効果）
袋胴部の袋前面から注出路部が分岐した先行技術の包装袋にあっては、注出路部が袋胴部の真上に立ち上がるように起きて注出口が開封されると、注出路部でのフィルム同士が密着し、注出路部の収容物通路が塞がる状態になる場合がある。
【００２５】
この点に対して、請求項４の発明によれば、袋胴部の左右（辺部側）の注出路部通路形成手段の間となる部分あっては、注出路部の引き上げに抗する部分とならないため、分岐前面フィルムと分岐後面フィルムの非ヒートシール領域を含めて袋前面と袋後面での注出路部通路形成手段の間となるフィルムに、折り返し線の方向に交差して外方に折り出る山折り部分が生じるようになり、これによって注出路部の分岐前面フィルムと分岐後面フィルムとの間が開いて通路が形成され、注出路部を収容物がスムーズに流れるようになる。
【００２６】
（請求項５の発明の効果）
請求項５の発明によれば、注出口部の切断がスムーズになり、注出路部の起こしと注出口部の切断とをより一層連続させて行なうことができるという効果を奏する。
【００２７】
（請求項６の発明の効果）
請求項６の発明によれば、請求項６の発明と同様に、注出口部の切断がスムーズになり、注出路部の起こしと注出口部の切断とをより一層連続させて行なうことができるという効果を奏する。
【図面の簡単な説明】
【００２８】
【図１】本発明の第一の実施例を袋前面側から見た状態で示す説明図である。
【図２】第一の実施例を袋中央の縦断面で示す説明図である。
【図３】第一の実施例での注出路部を引き起こし片にて起こした状態を示す説明図である。
【図４】第二の実施例を袋前面側から見た状態で示す説明図である。
【図５】第二の実施例を袋中央の縦断面で示す説明図である。
【図６】第二の実施例での注出路部を引き起こし片にて起こした状態を示す説明図である。
【図７】袋前面におけるフィルムの重ね合わせを示すもので、（ａ）は袋上部側のフィルムと袋下部側のフィルムとがそれぞれ別フィルム材からなる場合を示す説明図、（ｂ）は袋上部側のフィルムと袋下部側のフィルムとが連続するフィルム材からなる場合を示す説明図である。
【図８】袋下部におけるフィルムの重ね合わせを示すもので、（ａ）は袋前面と袋後面との間に別フィルムである袋底面が折り入れられる状態を示す説明図、（ｂ）は袋前面と袋後面と袋底面とが連続するフィルム材からなる場合を示す説明図である。
【発明を実施するための形態】
【００２９】
つぎに本発明を図１から図８に示す実施の形態に基づいて詳細に説明する。
【００３０】
（第一の実施例）
図中１は第一の実施例の包装袋で、該包装袋１はそれぞれ基材とシーラント層とを少なくとも有する柔軟なフィルムからなる袋前面２と袋後面３と袋底面４とを有するスタンディングパウチタイプの袋であり、図２の断面で示されているように、相対して袋胴部５を形成する袋前面２と袋後面３との間で袋下部６側に袋底面４が折り入れられ、左右の袋辺部７、及び袋下部６での左右方向に亘る袋辺部７でフィルムが重ね合わされている部分がヒートシールされており、袋底面４のフィルムが袋前後方向に展開することよって袋下部６が広がって自立できるようにした袋とされている。
【００３１】
図１に示されている包装袋１は収容物を充填する前の扁平な形態である。袋下部６は袋底面４のフィルムが位置することで閉じられているが、充填前の包装袋１では袋上部８における袋前面２と袋後面３との袋辺部はヒートシールしておらず、収容物充填後に袋上部８の袋辺部がヒートシールされる。なお、図１と図４において充填後に袋上部側をヒートシールにて閉じられる部分を仮想線で示した。
【００３２】
（注出路部）
図示されているように包装袋１の袋前面２の袋上部８側に注出路部９があり、袋胴部５から分岐する状態にして袋下部６に向けて張り出るように設けられている。そして注出路部９は、袋の縦の中心線方向（Ｘ−Ｘ線方向）下方に向けて細くなる略テーパー状とされ、閉じている注出口部１０を、張り出し先端の部分としている。
【００３３】
袋前面２は、袋上部８側のフィルム１１と袋下部６側のフィルム１２とからなるもので、図２の断面で示されているように、前記フィルム１１、１２により、注出路部９を有する状態で袋前面２が形成されている。
【００３４】
袋上部８側のフィルム１１にあっては、注出路部９が分岐している高さ位置Ａから袋下方に延長されている部分を有し、袋下部６側の前記フィルム１２にあっては、注出路部９が分岐している高さ位置Ａから折り返されて袋下方に延長されている部分を有している。
【００３５】
フィルム１１は上記延長部分を分岐前面フィルム１３として有し、フィルム１２は上記延長部分を分岐後面フィルム１４として有している。そして前記分岐前面フィルム１３と分岐後面フィルム１４とが重ね合わされ、袋左右（袋幅方向）にある側方辺部１５の位置、及び張り出し先端にあって前記側方辺部１５に連続する先端辺部１６の位置で、分岐前面フィルム１３と分岐後面フィルム１４とがヒートシールされている。
【００３６】
注出路部９の張り出し先端である注出口部１０が上記先端辺部１６の位置でのヒートシールによって閉じられている。そしてこの第一の実施例では、先端辺部１６のヒートシール部分が、注出路部９の張り出し方向前方（袋下方）に向けて延長されて略円板状に拡大され、この拡大部分を引き起こし片１７にしている。
【００３７】
（引き起こし片）
注出路部９の張り出し方向にこの注出路部９自体がテーパー状に先細していて、上記引き起こし片１７は上述したように注出路部９の張り出し方向の前方、即ち、注出口部１０の張り出し方向の前方の部分であって上記先端辺部１６を拡大した部分に設けられている。この引き起こし片１７も分岐前面フィルム１３と分岐後面フィルム１４とがヒートシールにて重ね合わされている部分であって、ある程度の強度を有する。
【００３８】
そして引き起こし片１７は、注出路部９を袋胴部５から袋上下方向上方側に向けて起こすときに用いられるものであり、略円板状としたこの引き起こし片１７に、注出口部１０の領域に重ならないようにして一つの指先差し込み孔部１８が設けられている。
【００３９】
（指先差し込み孔部）
指先差し込み孔部１８は、分岐前面フィルム１３と分岐後面フィルム１４とを貫くようにして引き起こし片１７に略Ｃ字状に切り込みを入れて、この切り込みによって形成されたフラップにて開放可能に閉じられている透孔形成部分１８ａであり、指先を通す前には閉じた状態とされている。
【００４０】
注出路部９を上方に引き上げるときには、透孔形成部分１８ａに指先を当てて前記フラップを倒し込み、指先差し込み孔部１８にその指先を掛けるようにして差し込み、指先を差し込んだ状態で引き起こし片１７を袋上下方向上方に向けて引っ張ることで、注出路部９が袋胴部５の袋前面２から前記上方に向けて起きるようにしている。
【００４１】
（指先差し込み孔部の大きさ、形状等）
指先差し込み孔部１８は指先が掛かって引き起こし片１７の上方への引き上げが確実に行えるものであればよく、大きさや形状が限定されているものではないが、例えば直径が約１０ｍｍ〜約３０ｍｍとなる円形としたり、長軸が約１０ｍｍ〜約３０ｍｍで短軸が長軸の長さより短かい楕円形とすることが良好である。
【００４２】
上記指先差し込み孔部１８については、切り込み形成されたフラップにより開け閉め可能に閉じられている透孔形成部分１８ａとして図示しているが、この図示の例に限定されるものではない。指先差し込み孔部１８は、引き起こし片１７の分岐前面フィルム１３と分岐後面フィルム１４とを貫通する透孔であってもよい。透孔である場合の指先差し込み孔部１８の大きさや形状も、例えば直径が約１０ｍｍ〜約３０ｍｍとなる円形としたり、長軸が約１０ｍｍ〜約３０ｍｍで短軸が長軸の長さより短かい楕円形とすることが良好であり、この点は指先差し込み孔部１８を透孔形成部分１８ａとする上記の例と同様である。
【００４３】
（開封予定線）
注出口部１０には、この注出口部１０の張り出し方向に交差するようにして開封予定線１９が設けられている。そして図示されているように引き起こし片１７の外周縁２０が、上記開封予定線１９の位置に連続している。
【００４４】
そして引き起こし片１７を袋上下方向上方に向けて引いて注出路部９を袋前面２から離れるように起こし、さらに注出路部９が袋上下方向上方に向けて起きてからも引き起こし片１７を引き続けることにより、開封予定線１９における引き起こし片１７の外周縁が達している箇所から切れ目が発生して、裂けが開封予定線１９に進んで注出口部１０を切断して注出口を開かせることができるようにしている。
【００４５】
このように指先差し込み孔部１８に指先を掛けながら引き起こし片１７を上方に引っ張ることで、注出路部９の起こし作業と注出口部１０の切断作業とが連続して開封がスムーズに行えるものとなる。
【００４６】
開封予定線１９は、注出口部１０の分岐前面フィルム１３と分岐後面フィルム１４とにレーザー照射するハーフカット加工を施した線状部分とすることが良好であり、このハーフカット加工によって易開封性を向上させることができる。
【００４７】
また注出路部９のヒートシール部分に及ぶ開封予定線１９の両端部には、切り込みを施してノッチ２１が設けられており、この切り込みによっても易開封性が向上されており、指先差し込み孔部１８に指先を掛けながら引き起こし片１７を袋上下方向上方に向けて引いたときに、注出口部１０の切断がより一層スムーズになるようにしている。
【００４８】
（注出路部通路形成手段）
上記第一の実施例では注出路部９が張り出し方向前方に向けてテーパー状に先細りしていて、この注出路部９の分岐前面フィルム１３と分岐後面フィルム１４とが相対して形成される通路２２も張り出し方向前方に向けてテーパー状に先細りした形状である。そして注出口部１０を切断して注出口が得られるときに、前記分岐前面フィルム１３と分岐後面フィルム１４とが離れた状態となって通路２２が閉塞しないように図られている。
【００４９】
そしてこの第一の実施例では、注出路部９の分岐前面フィルム１３と分岐後面フィルム１４とを離れた状態にして通路２２を閉塞させないようにするための注出路部通路形成手段２３が、袋胴部５から注出路部９が分岐する分岐の高さ位置Ａでの左右辺部側に設けられていて、分岐前面フィルム１３における分岐の高さ位置での左右辺部側の部分それぞれを直接、袋後面のフィルム２４にヒートシールして、引き起こし片１７を上方に引っ張る作業を行なっても、注出路部９の左右の辺部側が開かないようにしている。
【００５０】
具体的には、注出路部９の上記側方辺部１５となるヒートシール領域２５それぞれは、注出路部９の先細り部位に対応する湾曲部分から袋幅方向側方に向けて延びて袋辺部７まで達しているとともに、袋辺部７側での分岐の高さ位置Ａを跨ぐようにして袋上部８側にかかるように設けられている。また上述したように分岐の高さ位置Ａで袋下部側のフィルム１２が折り返されて上記分岐後面フィルム１４が延長されていて、この折り返し部分の端部それぞれにおいて、折り返し部分（分岐の高さ位置Ａに対応する箇所）の谷折り線を跨ぐようにしてフィルムを除去したフィルム除去部２６が設けられている。
【００５１】
そして、分岐前面フィルム１３と袋後面３のフィルム２４との間に上記フィルム除去部２６を位置させた状態でヒートシールすることによって、分岐前面フィルム１３が袋後面３のフィルム２４に直接ヒートシールされて上記注出路部通路形成手段２３が形成されている。
【００５２】
このように袋胴部５での分岐の高さ位置Ａでの左右の袋辺部７側にそれぞれ注出路部通路形成手段２３が設けられているので、指先差し込み孔部１８に指先を掛けて引き起こし片１７を上方に引いて注出路部９を上方に起きるように引き上げると、このとき前記注出路部通路形成手段２３の部分自体は分岐前面フィルム１３と袋後面３のフィルム２４とが離れずに、この分岐前面フィルム１３と袋後面３のフィルム２４との間が開かないように注出路部９の引き上げに対して抗する部分となる。
【００５３】
一方、この注出路部通路形成手段２３の間となる部分にあっては、袋前面２のフィルム１２（袋下部６側）から分岐後面フィルム１４が単に折り返されているだけであるため、分岐後面フィルム１４の上方への開きを抑えるような注出路部９の引き上げに対して抗する部分とならない。
【００５４】
そして注出路部９での分岐前面フィルム１３と分岐後面フィルム１４との非ヒートシール領域を含めて、袋前面２と袋後面３での左右の注出路部通路形成手段２３の間となるフィルムの部分に、谷折り線の方向に交差して外方に折り出る山折り部分が生じるようになる。
【００５５】
この山折りが、注出路部９の通路２２における分岐前面フィルム１３と分岐後面フィルム１４とに張り出し方向に通ることとなる。よって注出路部９の分岐前面フィルム１３と分岐後面フィルム１４との間が開いて通路２２が形成され、注出路部９を収容物がスムーズに流れるようになる。（図３）
【００５６】
（第二の実施例）
上記包装袋１では、注出路部９を袋胴部５から袋上下方向上方に起こす引き起こし片１７をその注出路部９の張り出し方向前方に配した略円板状のものとし、引き起こし片１７が一つの指先差し込み孔部１８を有しているものとして説明したが、これに限定されるものではなく、引き起こし片１７の構成と、指先差し込み孔部１８の位置、個数を変更することが可能である。引き起こし片１７の構成と、指先差し込み孔部１８の位置、個数が変更されている例を第二の実施例として以下に説明する。
【００５７】
図４は第二の実施例の包装袋１を袋前面側から見た平面を示していて、第一の実施例の図１と同様に収容物が未充填で扁平な状態を表している。上述したように第一の実施例と第二の実施例とは引き起こし片１７の構成、指先差し込み孔部１８の位置と数が相違している。
【００５８】
包装袋１において、図４に示されているように袋上部８側のフィルム１１を分岐の高さ位置Ａから袋下方に向けて延長した分岐前面フィルム１３と、袋下部６側のフィルム１２を同じく分岐の高さ位置Ａで折り返して袋下部６側に延長した分岐後面フィルム１４とは、共に袋上下方向の長さが、袋幅方向に亘って同じとされていて、この分岐前面フィルム１３と分岐後面フィルム１４とが重なっている領域の平面の形状が矩形となっている。
【００５９】
（引き起こし片）
上記分岐前面フィルム１３と分岐フィルム１４とを重ねた領域中に、上記第一の実施例と同様に、袋胴部５の縦中心線（Ｘ−Ｘ線）が通る位置で下方に向けてテーパー状に先細りした注出路部９が、分岐の高さ位置Ａから設けられているとともに、前記領域中での注出路部９を除いた部分を引き起こし片１７として設けられている。即ち、第一の実施例では引き起こし片を、注出路部の張り出し方向の前方であって略円板状としているが、第二の実施例では袋幅方向に亘る大きさの引き起こし片を備えている。
【００６０】
（分断線）
そして注出路部９の先細りする箇所に対応する湾曲部分から袋胴部５の左右の袋辺部７に延びて上記注出路部通路形成手段２３を含む側方辺部１５に対し、引き起こし片１７は、連続または不連続の分断線２７を介して分離可能に連接されている。なお、前記分断線２７自体は分岐前面フィルム１３と分岐後面フィルム１４とを貫く切り込みである。また分断線２７それぞれは、第一の実施例と同じように注出口部１０の開封予定線１９の位置に連続している。
【００６１】
第二の実施例において、引き起こし片１７の分岐前面フィルム１３と分岐後面フィルム１４とは重ね合わされた状態で全体的にヒートシールされており、注出口部１０の先端を閉じる先端辺部１６が、この引き起こし片１７の領域中で独立して形成されてはいない。勿論、上記側方辺部１５と連続する状態にしながら引き起こし片１７の領域中に独立して存在するようにしてもよい。
【００６２】
（指先差し入れ孔部）
また指先差し込み孔部１８は、注出口部１０の前方（張り出し方向前方）には配置されていない。この指先差し込み孔部１８は、引き起こし片１７での注出口部１０の前方部分を間にして左右に一つずつ対称にして配置されており、袋上下方向では注出口部１０の前方となる位置の高さに揃う配置としている。
【００６３】
図示した第二の実施例における指先差し込み孔部１８それぞれは、袋下部側を連続部分としながら環状の切り込みを入れてフラップにより開閉可能に覆われた透孔形成部分１８ａからなるものとしており、図示の第一の実施例と同様である。そして、指先差し入れ孔部１８自体は大きさ、形状は限定されるものではなく、一例として良好な大きさ、形状は第一の実施例で説明したものと同じである。さらに指先差し入れ孔部１８が透孔とすることが可能である点も第一の実施例での説明と同じである。
【００６４】
また指先差し入れ孔部１８は、注出口部１０の前方となる位置の高さに揃う配置である必要は必ずしもなく、また左右の何れか一つのみとすることも可能である。
【００６５】
この第二の実施例の包装袋１においても、引き起こし片１７を上記指先差し込み孔部１８に指先を掛けながら上方に引っ張ることで、引き起こし片１７での先端辺部１６につながった状態で注出路部９が起き上がり、引き起こし片１７を引き続けることで、また引き続けながらひねるなどすることで、開封予定線１９の端部側から切れが生じて注出口部１０が切断され、開封されることとなる。（図６）
【００６６】
なお、分断線２７が図４に示すように不連続な線とされている場合、引き起こし片１７を引き上げるときに側方辺部１５と細幅で連続している箇所が切断するように設けられている。さらに、分断線２７の袋胴部５における左右の袋辺部７の位置にあっては、引き起こし片１７を引き上げていない状態でこの引き起こし片１７の側辺の折り返し側がめくれるなどして他の物品に引っかかるなどしないように、分断線２７の端部が左右の袋辺部７の端縁までには達しておらず、側方辺部１５への細幅の連続部分が存在する。この連続部分も引き起こし片１７の引き上げをするときに切断されることになる。
【００６７】
なお、分断線自体はレーザー照射するハーフカット加工を施してなるものとすることも可能である。
【００６８】
第二の実施例でも注出路部通路形成手段２３を備えており、第一の実施例の包装袋１における注出路部通路形成手段２３と同じ効果を発揮し、開封した際に注出口部１０が閉じることのないように図られている。
【００６９】
（分岐前面フィルムと分岐後面フィルム）
第一の実施例と第二の実施例との袋上部８側の構成を図７で示している。図７（ａ）で示すように第一、第二の実施例とも、延長された分岐前面フィルム１３を含むフィルム１１と、延長された分岐後面フィルム１４を含む袋前面２のフィルム１２とは、予め別材として用意されているフィルム材であり、注出路部と引き起こし片とを形成するに際して重ね合わせたものである。
【００７０】
しかしながら、図７（ｂ）に示すように、上記フィルム１１とフィルム１２とが予め連続しているフィルム材とし、そしてこのフィルム材を袋外方に向けて折り出すことによって分岐前面フィルム１３と分岐後面フィルム１４とを延長させた状態としてから、この分岐前面フィルム１３と分岐後面フィルム１４とを重ね合わせて、所定部分をヒートシールし、必要部分に切り込みを入れたり、余剰部分を切り落とすようにして注出路部と引き起こし片とを形成することも可能である。
【００７１】
また、第一の実施例や第二の実施例の包装袋１の袋下部６にあっても、図８（ａ）に示すように袋前面２のフィルムと袋後面３のフィルムとの間に、袋底面４として別部材のフィルムが折り入れられたものとして説明したが、図８（ｂ）に示すように袋底面４のフィルムが、袋前面２のフィルムや袋後面３のフィルムに連続しているものであってもよい。
【符号の説明】
【００７２】
１…包装袋
２…袋前面
３…袋後面
４…袋底面
５…袋胴部
６…袋下部
７…袋辺部
８…袋上部
９…注出路部
１０…注出口部
１１…袋前面の袋上部側のフィルム
１２…袋前面の袋下部側のフィルム
１３…分岐前面フィルム
１４…分岐後面フィルム
１５…注出路部の側方辺部
１６…注出路部の先端辺部
１７…引き起こし片
１８…指先差し込み孔部
１８ａ…透孔形成部分
１９…開封予定線
２０…外周縁
２１…ノッチ
２２…通路
２３…注出路部通路形成手段
２４…袋後面のフィルム
２６…フィルム除去部
２７…分断線
Ａ…分岐の高さ位置
【図１】
2018135120.tif 000003
【図２】
2018135120.tif 000004
【図３】
2018135120.tif 000005
【図４】
2018135120.tif 000006
【図５】
2018135120.tif 000007
【図６】
2018135120.tif 000008
【図７】
2018135120.tif 000009
【図８】
2018135120.tif 000010